(57)【特許請求の範囲】
【請求項１】
袋の開口部側を保持して所定の移送経路に沿って移送するとともに、移送の過程で被包装物の充填、開口部の閉鎖等の包装処理工程を順次行うようにした袋詰め包装機において、前記包装処理工程の一部として被包装物の充填工程の前に印字工程が含まれ、前記印字工程が行われる位置に、印字装置と、印字部を含む袋面を袋の長さ方向又は幅方向に引っ張って緊張させ、前記印字部を平らな状態に保持する印字補助装置が配置され、前記印字補助装置は、対向配置され互いに接離可能とされた背板及び一対の袋押圧部材を備え、前記背板は袋の裏面側に配置され、前記印字部に対応する平らな受面部を有し、前記一対の袋押圧部材は袋の表面側、すなわち前記印字部のある袋面側に袋の長手方向に所定間隔を置いて配置された袋底側袋押圧部材と開口部側袋押圧部材からなり、いずれも袋の幅方向に沿って延びる押圧部を有し、袋底側袋押圧部材の押圧部は前記背板との間で袋の前記印字部より袋底側の位置を袋の幅方向に沿って挟んで袋を保持し、開口部側袋押圧部材の押圧部は前記受面部より袋の開口部側の位置を袋の裏面側方向に押圧するものであり、前記背板と袋底側袋押圧部材の押圧部で袋を保持した状態で、開口部側袋押圧部材の押圧部が袋の裏面側方向に前記受面部を越えて押し込まれることを特徴とする袋詰め包装機。
【請求項２】
袋の開口部側を保持して所定の移送経路に沿って移送するとともに、移送の過程で被包装物の充填、開口部の閉鎖等の包装処理工程を順次行うようにした袋詰め包装機において、前記包装処理工程の一部として被包装物の充填工程の前に印字検査工程が含まれ、前記印字検査工程が行われる位置に、印字検査装置と、印字部を含む袋面を袋の長さ方向又は幅方向に引っ張って緊張させ、前記印字部を平らな状態に保持する印字検査補助装置が配置され、前記印字検査補助装置は、対向配置され互いに接離可能とされた背板及び一対の袋押圧部材を備え、前記背板は袋の裏面側に配置され、前記印字部に対応する平らな受面部を有し、前記一対の袋押圧部材は袋の表面側、すなわち前記印字部のある袋面側に袋の長手方向に所定間隔を置いて配置された袋底側袋押圧部材と開口部側袋押圧部材からなり、いずれも袋の幅方向に沿って延びる押圧部を有し、袋底側袋押圧部材の押圧部は前記背板との間で袋の前記印字部より袋底側の位置を袋の幅方向に沿って挟んで袋を保持し、開口部側袋押圧部材の押圧部は前記受面部より袋の開口部側の位置を袋の裏面側方向に押圧するものであり、前記背板と袋底側袋押圧部材の押圧部で袋を保持した状態で、開口部側袋押圧部材の押圧部が袋の裏面側方向に前記受面部を越えて押し込まれることを特徴とする袋詰め包装機。
【請求項３】
前記背板が定位置である受け位置に設置され、かつ前記袋底側袋押圧部材が前記背板との間で袋を保持する保持位置と袋から離れた待機位置との間を移動可能とされているか、前記袋底側袋押圧部材が定位置である保持位置に設置され、かつ前記背板が前記袋底側袋押圧部材との間で袋を保持する受け位置と袋から離れた待機位置の間で移動可能とされているか、前記袋底側袋押圧部材が前記背板との間で袋を保持する保持位置と袋から離れた待機位置との間を移動可能とされ、かつ前記背板が前記袋底側袋押圧部材との間で袋を保持する受け位置と袋から離れた待機位置の間で移動可能とされているかのいずれかであり、さらに、前記開口部側袋押圧部材が袋を裏面側方向に押圧する押圧位置と袋から離れた待機位置の間で移動可能とされていることを特徴とする請求項１に記載された袋詰め包装機。
【請求項４】
前記背板が定位置である受け位置に設置され、かつ前記袋底側袋押圧部材が前記背板との間で袋を保持する保持位置と袋から離れた待機位置との間を移動可能とされているか、前記袋底側袋押圧部材が定位置である保持位置に設置され、かつ前記背板が前記袋底側袋押圧部材との間で袋を保持する受け位置と袋から離れた待機位置の間で移動可能とされているか、前記袋底側袋押圧部材が前記背板との間で袋を保持する保持位置と袋から離れた待機位置との間を移動可能とされ、かつ前記背板が前記袋底側袋押圧部材との間で袋を保持する受け位置と袋から離れた待機位置の間で移動可能とされているかのいずれかであり、さらに、前記開口部側袋押圧部材が袋を裏面側方向に押圧する押圧位置と袋から離れた待機位置の間で移動可能とされていることを特徴とする請求項２に記載された袋詰め包装機。
【請求項５】
前記袋底側袋押圧部材の押圧部と前記背板の受面部との間で袋を保持することを特徴とする請求項１又は３に記載された袋詰め包装機。
【請求項６】
前記袋底側袋押圧部材の押圧部と前記背板の受面部との間で袋を保持することを特徴とする請求項２又は４に記載された袋詰め包装機。
【請求項７】
前記背板が受面部の袋底側に袋底側端面を有し、前記袋底側袋押圧部材の押圧部と前記袋底側端面との間で袋を保持することを特徴とする請求項１又は３に記載された袋詰め包装機。
【請求項８】
前記背板が受面部の袋底側に袋底側端面を有し、前記袋底側袋押圧部材の押圧部と前記袋底側端面との間で袋を保持することを特徴とする請求項２又は４に記載された袋詰め包装機。
【請求項９】
袋の開口部側を保持して所定の移送経路に沿って移送するとともに、移送の過程で被包装物の充填、開口部の閉鎖等の包装処理工程を順次行うようにした袋詰め包装機において、前記包装処理工程の一部として被包装物の充填工程の前に印字工程が含まれ、前記印字工程が行われる位置に、印字装置と、印字部を含む袋面を袋の長さ方向又は幅方向に引っ張って緊張させ、前記印字部を平らな状態に保持する印字補助装置が配置され、前記印字補助装置は、対向配置され互いに接離可能とされた背板及び一対の袋押圧部材を備え、前記背板は袋の裏面側に配置され、前記印字部に対応する平らな受面部を有し、かつ受面部の開口部側及び袋底側にそれぞれ袋の幅方向に沿って開口部側端面及び袋底側端面を有し、前記一対の袋押圧部材は袋の表面側、すなわち前記印字部のある袋面側に袋の長手方向に所定間隔を置いて配置され、いずれも袋の幅方向に沿って延びる押圧部を有し、前記背板及び一対の袋押圧部材が互いに接近したとき、前記一対の袋押圧部材の各押圧部が前記背板の開口部側端面及び袋底側端面の近傍位置において前記受面部を越えて押し込まれるようになっており、このとき袋が前記開口部側端面と一方の押圧部の間、及び前記袋底側端面と他方の押圧部の間で袋の幅方向に沿って挟まれ、前記押圧部とともに袋の裏面側方向に押し込まれることを特徴とする袋詰め包装機。
【請求項１０】
袋の開口部側を保持して所定の移送経路に沿って移送するとともに、移送の過程で被包装物の充填、開口部の閉鎖等の包装処理工程を順次行うようにした袋詰め包装機において、前記包装処理工程の一部として被包装物の充填工程の前に印字検査工程が含まれ、前記印字検査工程が行われる位置に、印字検査装置と、印字部を含む袋面を袋の長さ方向又は幅方向に引っ張って緊張させ、前記印字部を平らな状態に保持する印字検査補助装置が配置され、前記印字検査補助装置は、対向配置され互いに接離可能とされた背板及び一対の袋押圧部材を備え、前記背板は袋の裏面側に配置され、前記印字部に対応する平らな受面部を有し、かつ受面部の開口部側及び袋底側にそれぞれ袋の幅方向に沿って開口部側端面及び袋底側端面を有し、前記一対の袋押圧部材は袋の表面側、すなわち前記印字部のある袋面側に袋の長手方向に所定間隔を置いて配置され、いずれも袋の幅方向に沿って延びる押圧部を有し、前記背板及び一対の袋押圧部材が互いに接近したとき、前記一対の袋押圧部材の各押圧部が前記背板の開口部側端面及び袋底側端面の近傍位置において前記受面部を越えて押し込まれるようになっており、このとき袋が前記開口部側端面と一方の押圧部の間、及び前記袋底側端面と他方の押圧部の間で袋の幅方向に沿って挟まれ、前記押圧部とともに袋の裏面側方向に押し込まれることを特徴とする袋詰め包装機。
【請求項１１】
袋の開口部側を保持して所定の移送経路に沿って移送するとともに、移送の過程で被包装物の充填、開口部の閉鎖等の包装処理工程を順次行うようにした袋詰め包装機において、前記包装処理工程の一部として被包装物の充填工程の前に印字工程が含まれ、前記印字工程が行われる位置に、印字装置と、印字部を含む袋面を袋の長さ方向又は幅方向に引っ張って緊張させ、前記印字部を平らな状態に保持する印字補助装置が配置され、前記印字補助装置は、対向配置され互いに接離可能とされた背板及び一対の袋押圧部材を備え、前記背板は袋の裏面側に配置され、前記印字部に対応する平らな受面部を有し、かつ受面部の両側方にそれぞれ袋の長手方向に沿って左右の端面を有し、前記一対の袋押圧部材は袋の表面側、すなわち前記印字部のある袋面側に袋の幅方向に所定間隔を置いて配置され、いずれも袋の長手方向に沿って延びる押圧部を有し、前記背板及び一対の袋押圧部材が互いに接近したとき、前記一対の袋押圧部材の押圧部が前記左右の端面近傍において前記受面部を越えて押し込まれるようになっており、このとき袋が前記左右の端面と各押圧部との間で袋の長手方向に沿って挟まれ、前記押圧部とともに袋の裏面側方向に押し込まれることを特徴とする袋詰め包装機。
【請求項１２】
袋の開口部側を保持して所定の移送経路に沿って移送するとともに、移送の過程で被包装物の充填、開口部の閉鎖等の包装処理工程を順次行うようにした袋詰め包装機において、前記包装処理工程の一部として被包装物の充填工程の前に印字検査工程が含まれ、前記印字検査工程が行われる位置に、印字検査装置と、印字部を含む袋面を袋の長さ方向又は幅方向に引っ張って緊張させ、前記印字部を平らな状態に保持する印字検査補助装置が配置され、前記印字検査補助装置は、対向配置され互いに接離可能とされた背板及び一対の袋押圧部材を備え、前記背板は袋の裏面側に配置され、前記印字部に対応する平らな受面部を有し、かつ受面部の両側方にそれぞれ袋の長手方向に沿って左右の端面を有し、前記一対の袋押圧部材は袋の表面側、すなわち前記印字部のある袋面側に袋の幅方向に所定間隔を置いて配置され、いずれも袋の長手方向に沿って延びる押圧部を有し、前記背板及び一対の袋押圧部材が互いに接近したとき、前記一対の袋押圧部材の押圧部が前記左右の端面近傍において前記受面部を越えて押し込まれるようになっており、このとき袋が前記左右の端面と各押圧部との間で袋の長手方向に沿って挟まれ、前記押圧部とともに袋の裏面側方向に押し込まれることを特徴とする袋詰め包装機。
【請求項１３】
前記袋押圧部材の押圧部がゴム材で形成されていることを特徴とする請求項１、３，５，７，９，１１のいずれかに記載された袋詰め包装機。  
【請求項１４】
前記袋押圧部材の押圧部がゴム材で形成されていることを特徴とする請求項２，４，６，８，１０，１２のいずれかに記載された袋詰め包装機。  
【請求項１５】
前記袋は上縁が開口した袋であり、前記袋詰め包装機は、前記袋の両側縁部を左右一対のグリッパーで挟持して袋を吊り下げ状に保持し、前記移送経路に沿って移送するタイプであり、前記袋詰め包装機は、間欠回転するテーブルの周囲に複数対のグリッパーが等間隔に配置され、前記テーブルの間欠回転に伴い前記グリッパーが円形の移送経路に沿って移動する間欠回転式袋詰め包装機であり、前記印字工程が行われる停止位置に、印字装置と印字補助装置が配置されていることを特徴とする請求項１，３，５，７，９，１１，１３のいずれかに記載された袋詰め包装機。
【請求項１６】
前記袋は上縁が開口した袋であり、前記袋詰め包装機は、前記袋の両側縁部を左右一対のグリッパーで挟持して袋を吊り下げ状に保持し、前記移送経路に沿って移送するタイプであり、前記袋詰め包装機は、間欠回転するテーブルの周囲に複数対のグリッパーが等間隔に配置され、前記テーブルの間欠回転に伴い前記グリッパーが円形の移送経路に沿って移動する間欠回転式袋詰め包装機であり、前記印字検査工程が行われる停止位置に、印字検査装置と印字検査補助装置が配置されていることを特徴とする請求項２，４，６，８，１０，１２，１４のいずれかに記載された袋詰め包装機。
【発明の詳細な説明】
【技術分野】
【０００１】
本発明は、包装処理工程の一部として印字工程又は印字検査工程が含まれる袋詰め包装機に関する。
【背景技術】
【０００２】
図１２は一般的な間欠回転式袋詰め包装機の一例を示すもので、一方向（白抜き矢印の向き）に間欠回転するテーブル１の周囲に、複数のグリッパー対（一対のグリッパー）２，２が等間隔に配置され、テーブル１の間欠回転に伴い、グリッパー対２，２は円形の移送経路に沿って間欠的に移動し、グリッパー対２，２が一回転する間に、グリッパー対２，２への袋３の供給（給袋）、グリッパー対２，２に両側縁を挟持された袋３への被包装物の充填、袋３の開口部（袋口）のシール等の種々の包装処理工程が実施される。なお、グリッパー対２，２の移送経路は袋３の移送経路でもある。
図１２を参照して具体的に説明すると、停止位置Ｉは給袋工程位置であり、グリッパー対２，２に袋３を供給するコンベアマガジン式給袋装置４が配置され、供給された袋３は上縁が開口した袋で、グリッパー対２，２により開口部（袋口）付近の両側縁を挟持され、開口部を上向きにして吊り下げられる。
【０００３】
停止位置ＩＩは印字工程位置であり、グリッパー対２，２に挟持された袋３の袋面に日付等を印字する印字装置（印字器５のみ図示）が配置されている。供給される袋３に事前に日付等が印字されているのであれば、印字装置の代わりに、必要に応じて印字検査装置が配置され、印字検査工程が行われる。場合によっては、印字と印字検査が同じ停止位置で行われる。
停止位置ＩＩＩは上端開口部（袋口）の開口工程位置であり、互いに接離可能な一対の吸着部材（吸盤）６，６と一対の追従式開口ガイド７，７を有する開口装置（吸盤６，６と追従式開口ガイド７，７のみ図示）が配置され、停止位置ＩＶは被包装物充填工程位置であり、昇降するホッパー８を有する充填装置（ホッパー８のみ図示）が配置されている。なお、追従式開口ガイド７，７は、停止位置ＩＩＩにおいて開口した袋口に挿入され、直ちに開いて袋口の開口状態を維持し、そのままテーブル１の回転（グリッパー対２，２及び袋３の移動）に伴って停止位置ＩＶに移動し、停止位置ＩＶにおいてホッパー８が袋口に挿入された後、上昇して袋口から抜け出し、直ちに停止位置ＩＩＩに復帰する。
【０００４】
停止位置Ｖは第１ガス置換工程位置であり、昇降するガス吹込ノズル９を有する第１ガス置換装置（ガス吹込ノズル９のみ図示）が配置され、停止位置ＶＩは第２ガス置換工程位置であり、昇降するガス吹込ノズル１１を有する第２ガス置換装置（ガス吹込ノズル１１のみ図示）が配置されている。停止位置ＶＩではグリッパー対２，２の間隔が広がり、袋口を緊張させている。
停止位置ＶＩＩは第１シール工程位置であり、開閉する一対の第１熱板１２，１２を有する第１シール装置（第１熱板１２，１２のみ示す）が配置され、停止位置ＶＩＩＩは第２シール工程位置であり、一対の第２熱板１３，１３を有する第２シール装置（第２熱板１３，１３のみ示す）が配置され、停止位置ＩＸはシール部冷却及び製品袋放出工程位置であり、一対の冷却板１４，１４を有する冷却装置（冷却板１４，１４のみ示す）とシュート１５が配置されている。
停止位置Ｘは不良袋放出工程位置であり、ここでは、不良袋（例えば開口不良等のため袋詰めされなかった空袋等）が放出される。
【０００５】
停止位置ＩＩでは、袋の表面に文字や記号を印字（主にインクジェット式）し、あるいは印字された文字や記号を撮像手段（カメラ）で撮像し、その画像を元に印字が適正か否か（印字の有無、欠け、かすれ、ゆがみ、誤印字等）を検査する。
特許文献１，２には、このような印字工程又は印字検査工程に用いる印字又は印字検査補助装置が記載されている。この印字又は印字検査補助装置は、背板と袋の印字部（袋面の印字予定箇所又は印字された箇所）を囲む窓穴が形成された押圧板を含み、前記背板及び押圧板で袋面を両側から挟んだ状態で、窓穴内に印字又は窓穴内の印字検査を行うというものである。この方法では、袋面を背板と押圧板とで挟むことにより、袋を完全に静止させることができるので、袋の揺れに起因する印字不良、あるいは印字検査ミスを防止できる。
【０００６】
一方、通常の袋は袋面が反っていたり、波打っていたりなど湾曲していることが多く、また、その湾曲方向は袋の長さ方向（曲がりの軸が袋幅方向）であることが多い（図１３（ａ）参照）。このような場合に、背板と押圧板で袋面を挟むと、窓穴に入った部分の袋面（印字部を含む袋面）が凸状に膨らんでゆがみ（図１３（ｂ）参照）、この状態で印字部に印字し又は印字部の印字検査を行うと、印字不良や印字検査ミスが生じる可能性がある。また、印字部の周囲の袋面を全周にわたって面で挟圧するため、挟圧された袋面に部分的にシワが生じ、見栄え（商品価値）が低下するおそれもある。
なお、図１３（ａ），（ｂ）は湾曲した袋形状と従来の印字補助装置又は印字検査補助装置の構造を示すもので、１６は背板、１７は押圧板、１８は押圧板１７に形成された窓穴である。また、２はグリッパー、３は袋、５は印字器又は印字検査用カメラである。
【先行技術文献】
【特許文献】
【０００７】
【特許文献１】特開２０００−１０９０３３号公報
【特許文献２】特許第３２８２８０３号公報
【発明の概要】
【発明が解決しようとする課題】
【０００８】
本発明は、一連の袋詰め包装処理工程のうち、印字工程又は印字検査工程における上記問題点に鑑みてなされたもので、袋面が反っていたり、波打っていたりした場合でも、印字不良又は印字検査ミスが生じるのを防止することを目的とする。また、その際に袋面にシワが生じないようにすることを他の目的とする。
【課題を解決するための手段】
【００１０】
本発明は、袋の開口部側を保持して所定の移送経路に沿って移送するとともに、移送の過程で被包装物の充填、開口部の閉鎖等の包装処理工程を順次行うようにした袋詰め包装機において、包装処理工程の一部として被包装物の充填工程の前に印字工程（又は印字検査工程）が含まれ、印字工程（又は印字検査工程）が行われる位置に、印字装置（又は印字検査装置）と、印字部を含む袋面を袋の長さ方向又は幅方向に引っ張って緊張させ、印字部を平らな状態に保持する印字補助装置（又は印字検査補助装置）が配置されているというものである。包装処理工程の一部として印字工程と印字検査工程の両方が含まれる場合もある。印字装置又は印字検査装置による印字又は印字検査に先立って、前記補助装置が作動し、印字部は平らな状態に保持される。この補助装置は、袋緊張保持手段という言い方もできる。なお、図１２，１３に示すような一般的な袋であれば、包装処理工程は一般的に開口工程を含み、その開口工程の前に印字工程又は／及び印字検査工程が置かれる。
【００１１】
本発明に係る袋詰め包装機において、前記補助装置（印字補助装置又は印字検査補助装置）は、次のような具体的構成をとる。
（１）補助装置は、対向配置され互いに接離可能とされた背板及び一対の袋押圧部材を備え、前記背板は袋の裏面側に配置され、前記一対の袋押圧部材は袋の表面側、すなわち前記印字部のある袋面側に配置される（請求項１，２）。背板は印字部に対応する平らな受面部を有する。一対の袋押圧部材は、袋の長手方向に所定間隔を置いて配置された袋底側袋押圧部材と開口部側袋押圧部材からなり、いずれも袋の幅方向に沿って延びる押圧部を有する。袋底側袋押圧部材の押圧部は背板との間で袋の印字部より袋底側の位置を袋の幅方向に沿って挟んで袋を保持し、開口部側袋押圧部材の押圧部は受面部より袋の開口部側の位置を袋の裏面側方向に押圧する。背板と袋底側袋押圧部材の押圧部で袋を保持した状態で、開口部側袋押圧部材の押圧部が袋の裏面側方向に受面部を越えて押し込まれることで、印字部を含む袋面を背板の受面部に沿って緊張させることができる。
【００１２】
（２）上記（１）の場合のより具体的な構成として、袋底側袋押圧部材の押圧部と背板の受面部との間で袋を保持すること（請求項５，６）、背板が受面部の袋底側に袋底側端面を有し、袋底側袋押圧部材の押圧部と袋底側端面との間で袋を保持すること（請求項７，８）を挙げることができる。
（３）上記（１）、（２）において、背板と袋底側袋押圧部材は相対的に接離移動を行う。この場合、相対的な移動形態として、（ａ）背板が定位置である受け位置に設置され、袋底側袋押圧部材が背板との間で袋を保持する保持位置と袋から離れた待機位置との間を移動可能とされている、（ｂ）袋底側袋押圧部材が定位置である保持位置に設置され、背板が袋底側袋押圧部材との間で袋を保持する受け位置と袋から離れた待機位置の間で移動可能とされている、（ｃ）袋底側袋押圧部材が背板との間で袋を保持する保持位置と袋から離れた待機位置との間を移動可能とされ、かつ背板が袋底側袋押圧部材との間で袋を保持する受け位置と袋から離れた待機位置の間で移動可能とされている（請求項３，４）。以上のどの形態をとってもよい。一方、開口部側袋押圧部材は、背板が実際に移動可能かどうかに関わらず、袋を袋の裏面側方向に押圧する押圧位置と袋から離れた待機位置の間で移動可能とされている必要がある。
【００１３】
（４）補助装置は、対向配置され互いに接離可能とされた背板及び一対の袋押圧部材を備え、背板は袋の裏面側に配置され、一対の袋押圧部材は袋の表面側、すなわち前記印字部のある袋面側に、袋の長手方向に所定間隔を置いて配置される（請求項９，１０）。背板は印字部に対応する平らな受面部を有し、かつ受面部の開口部側及び袋底側にそれぞれ袋の幅方向に沿って開口部側端面及び袋底側端面を有する。押圧部材はいずれも袋の幅方向に沿って延びる押圧部を有し、背板及び一対の袋押圧部材が互いに接近したとき、各押圧部が背板の開口部側端面及び袋底側端面の近傍位置において受面部を越えて押し込まれるようになっている。そしてこのとき、袋が開口部側端面と一方の押圧部の間、及び袋底側端面と他方の押圧部の間で袋の幅方向に沿って挟まれ、各押圧部とともに袋の裏面側方向に押し込まれることで、印字部を含む袋面を背板の受面部に沿って緊張させることができる。
【００１４】
（５）補助装置は、対向配置され互いに接離可能とされた背板及び一対の袋押圧部材を備え、背板は袋の裏面側に配置され、一対の袋押圧部材は袋の表面側、すなわち前記印字部のある袋面側に、袋の幅方向に所定間隔を置いて配置される（請求項１１，１２）。背板は印字部に対応する平らな受面部を有し、かつ受面部の両側方にそれぞれ袋の長手方向に沿って左右の端面を有する。袋押圧部材はいずれも袋の長手方向に沿って延びる押圧部を有する。また、背板及び一対の押圧部材が互いに接近したとき、各押圧部が背板の左右の端面近傍位置において受面部を越えて押し込まれるようになっている。そしてこのとき、袋が前記左右の端面と各押圧部との間で袋の長手方向に沿って挟まれ、前記押圧部とともに袋の裏面側方向に押し込まれることで、印字部を含む袋面を前記背板の受面部に沿って緊張させることができる。
（６）上記（４）、（５）において、背板と一対の袋押圧部材は相対的に接離移動を行う。この場合、相対的な移動形態としては、上記（３）に記載された形態（ａ）〜（ｃ）と同様の形態をとることができる。
【００１５】
（７）上記（１）〜（６）において、袋保持部材の保持部及び袋押圧部材の押圧部がゴム材で形成されている（請求項１３，１４）。
（８）この袋詰め包装機に適用される袋は、例えば上縁が開口した袋であり、袋詰め包装機は、前記袋の両側縁部を左右一対のグリッパーで挟持して袋を吊り下げ状に保持し、前記移送経路に沿って移送するタイプである。また、この袋詰め包装機は、間欠回転するテーブルの周囲に複数対のグリッパーが等間隔に配置され、前記テーブルの間欠回転に伴い前記グリッパーが円形の移送経路に沿って移動する間欠回転式袋詰め包装機であり、前記印字工程（又は印字検査工程）が行われる停止位置に、印字装置（又は印字検査装置）と補助装置が配置されている（請求項１５，１６）。包装処理工程の一部として印字工程と印字検査工程の両方が含まれる場合もあり、この場合、印字を印字工程位置で行い、印字検査を開口工程位置の前の適当な停止位置（通常、印字工程位置の次の停止位置）で行うこともでき、あるいは、同じ停止位置で印字工程と印字検査工程を行うこともできる。後者の場合、印字装置と印字検査装置は同じ停止位置に配置され、補助装置は印字補助と印字検査補助の両方を兼ねる。
【発明の効果】
【００１６】
本発明に係る袋詰め包装機によれば、印字又は印字検査に先立って、印字部（印字予定箇所又は印字された箇所）を含む袋面を平らに整形するので、袋面が反っていたり、波打っていたりした場合でも、印字不良又は印字検査ミスが生じるのを防止することができる。また、補助装置は、印字部の周囲の袋面を全周にわたって面で挟圧するのではなく、袋の長さ方向又は袋の幅方向に袋面を引っ張って緊張させるだけであるから、袋面にシワが生じるのが防止される。
【図面の簡単な説明】
【００１７】
【図１】本発明に係る補助装置の構造を説明する側面図である。
【図２】同じくその正面図である。
【図３】その動作を経時的に説明する側面断面図である。
【図４】同じくその動作を経時的に説明する側面断面図である。
【図５】同じくその動作を経時的に説明する側面断面図である。
【図６】本発明に係る補助装置の他の構造及び動作を経時的に説明する側面断面図である。
【図７】同じくその動作を経時的に説明する側面断面図である。
【図８】同じくその動作を経時的に説明する側面断面図である。
【図９】本発明に係る補助装置のさらに他の構造を説明する側面断面図である。
【図１０】本発明に係る補助装置のさらに他の構造を説明する側面図である。
【図１１】その平面断面図である。
【図１２】本発明に係る補助装置を適用可能な間欠回転式袋詰め包装機の斜視図である。
【図１３】湾曲した袋形状と従来の補助装置の構造を示す側面断面図である。
【発明を実施するための形態】
【００１８】
以下、図１〜図１１を参照して、本発明に係る袋詰め包装機の特に印字又は印字検査工程において用いられる補助装置（印字又は印字検査補助装置）の構造及びその作動について説明する。なお、この補助装置は、図１２に示す間欠回転式袋詰め包装機の印字工程位置ＩＩに設置されたものとする。
図１，２において、印字補助装置は、背板２１、袋底側袋押圧部材２２、開口部側袋押圧部材２３、背板２１の駆動手段（図示しないが、例えばエアシリンダ）、及び袋底側袋押圧部材２２と開口部側袋押圧部材２３の駆動手段（エアシリンダ）２４等を備える。５は印字器である。
【００１９】
背板２１は、前記駆動手段に連結する取付プレート２５の上端に固定され、袋３の裏面側（印字部のない袋面側）に設置され、前記駆動手段が作動することにより、袋３から離れた待機位置（図１参照）と、袋底側袋押圧部材２２との間で袋３を保持する受け位置（図４参照）の間を、水平面内で停止した袋３の袋面に垂直方向に進退する。背板２１は袋３の印字部及びその周辺の袋面に対応する略鉛直の平らな受面部２６を有し、受面部２６の下側（袋底側）に略水平な袋底側端面２７が形成され、受面部２６の上側（袋開口部側）に略水平な開口部側端面２８が形成されている。受面部２６の水平方向幅（袋幅方向の長さ）は袋幅より若干大きめに形成されている。なお、図１に印字部Ｐの上下方向範囲を示す。
【００２０】
袋底側袋押圧部材２２及び開口部側袋押圧部材２３は、袋３の表面側（印字部のある袋面側）に設置され、背板２１に対向する側に、上下方向（袋３の長手方向）に所定間隔を置いて水平方向（袋３の幅方向）に沿って延びる板状突部、すなわち押圧部３１，３２を有する。押圧部３１は印字部Ｐより下側（袋底側）に位置し、押圧部３２は印字部Ｐより上側（袋開口部側）に位置する。より詳しくは、押圧部３１は背板２１の袋底側端面２７に近接した下方位置、押圧部３２は開口部側端面２８から離れた上方位置にある。押圧部３１と袋底側端面２７の上下方向間隔は、袋３の厚みより広くなくてはならないが、なるべく狭くして押圧部３１と袋底側端面２７の間に挟んだ袋を保持（袋３が長手方向に力を受けたとき力の方向に簡単に滑らない程度に袋３を保持）できるようにする必要がある。押圧部３１及び押圧部３２は例えばゴム製とし、プラスチックフィルムからなる袋３との摩擦力を大きくすることが好ましい。
【００２１】
袋底側袋押圧部材２２及び開口部側袋押圧部材２３は、それぞれ基部３３，３４が接続プレート３５の上下位置に固定され、接続プレート３５は前記エアシリンダ２４（図示しない機台上に固定されている）のピストンロッド３６の先端に固定されている。エアシリンダ２４が作動すると、袋底側袋押圧部材２２は、袋３から離れた待機位置（図１参照）と、背板２１との間で袋３を保持する保持位置（図５参照）の間を、開口部側袋押圧部材２３は、袋３から離れた待機位置（図１参照）と、袋３をその裏面側方向（袋面に垂直方向）に押圧する押圧位置（図５参照）の間を、それぞれ水平面内で、停止した袋３の袋面に垂直方向に同時に進退する。
【００２２】
次に、図３〜５を参照して、この印字補助装置の作動について説明する。図３は、空の袋３が、グリッパー対２，２に挟持されて印字工程位置ＩＩに移送され、該位置に停止したときの状態を示す。このとき、背板２１、袋底側袋押圧部材２２及び開口部側袋押圧部材２３はいずれも待機位置にある。袋３は長手方向（上下方向）に沿って湾曲している。
続いて、背板２１の図示しない駆動手段及びエアシリンダ２４が作動し、背板２１が受け位置に向け、袋底側袋押圧部材２２が保持位置に向け、開口部側袋押圧部材２３が押圧位置に向けてそれぞれ移動する。
【００２３】
図４は、背板２１が先に受け位置に到達して停止したときの状態を示すもので、背板２１の受面部２６の位置に袋３の印字部Ｐ及びその近傍の袋面が位置している。このとき、袋底側袋押圧部材２２と開口部側袋押圧部材２３は、それぞれ保持位置又は押圧位置に到達する直前である。袋底側袋押圧部材２２の押圧部３１の先端部が背板２１の受面部２６の位置を越え、押圧部３１の先端部と背板２１の袋底側端面２７との間で、袋３の前記受面部２６より下（印字部Ｐより袋底側）位置を袋３の幅方向に沿って挟んでいる。同時に開口部側袋押圧部材２３の押圧部３２の先端部も背板２１の受面部２６を越え、袋３の前記受面部２６より上（印字部Ｐより開口部側）の位置を、袋３の裏面側方向に押し始めたところである。
【００２４】
袋底側袋押圧部材２２及び開口部側袋押圧部材２３が、図４の状態からそれぞれ保持位置又は押圧位置に到達するまでの間、背板２１の下方位置では、袋３は押圧部３１と袋底側端面２７との間に挟まれた状態であり、背板２１の上方位置では、押圧部３２の押圧位置への移動に伴い、袋３は押圧部３２の移動方向に引っ張られる。なお、押圧部３１と袋底側端面２７の間の隙間が十分小さく、押圧部３１及び袋底側端面２７の摩擦係数が小さくなければ、挟まれた袋３はその位置に保持される（袋面が上下方向に滑らない）。また、特に押圧部３１がゴム等からなり例えばプラスチック製の背板２１より摩擦係数が大きいときは、押圧部３１が保持位置に移動するにつれて、袋３の前記挟まれた箇所は押圧部３１の移動方向に押し込まれる。
【００２５】
図５は、袋底側袋押圧部材２２と開口部側袋押圧部材２３がそれぞれ保持位置又は押圧位置に到達したときの状態を示す。袋３は受面部２６の下側（印字部Ｐより袋底側）の位置が、袋底側袋押圧部材２２の押圧部３１と背板２１の袋底側端面２７の間に挟まれて保持され、一方、受面部２６の上側（印字部Ｐより開口部側）の位置は受面部２６の後方側（袋３の裏面側方向）に押し込まれ、これにより、袋３の印字部Ｐを含む袋面は受面部２６上において緊張状態で平らに保持される。
この状態で、印字器５が作動し、印字部Ｐに印字が行われる。
【００２６】
その後、背板２１の図示しない駆動手段及びエアシリンダ２４が作動し、背板２１と一対の袋押圧部材２２，２３が元の待機位置に後退する。続いて、印字工程を受けた袋３は次の停止位置ＩＩＩ（開口工程位置）に向けて移送され、停止位置Ｉ（給袋工程位置）から新たな袋３が停止位置ＩＩ（印字工程位置）に移送される。
【００２７】
図６〜図８は、別の印字補助装置及びその作動を説明する図である。この補助装置は、背板２１が受け位置に固定されている点、袋底側袋押圧部材２２と開口部側袋押圧部材２３がそれぞれ独立した駆動手段（エアシリンダ２４，３７）を有する点、及び袋底側袋押圧部材２２が保持位置に移動したとき、押圧部３１が背板２１の受面部２６に当接する点で、図１〜図５に示す補助装置と異なる。
【００２８】
図６は、袋３が、グリッパー対２，２に挟持されて印字工程位置ＩＩに移送され、該位置に停止したときの状態を示す。このとき、背板２１は受け位置にあり、袋底側袋押圧部材２２及び開口部側袋押圧部材２３はいずれも待機位置にある。袋３は長さ方向（上下方向）に沿って湾曲している。なお、背板２１は、移送されてくる袋３との干渉がないように、受け位置を設定する必要がある。
図７は、エアシリンダ２４が作動し、袋底側袋押圧部材２２が保持位置に到達したときの状態を示す。この保持位置において、押圧部３１の先端は背板２１の受面部２６に当接し、袋３の印字部Ｐより下方位置（袋底側の位置）を前記受面部２６との間で挟み、その位置に保持する。
【００２９】
続いてエアシリンダ３７が作動し、開口部側袋押圧部材２３が押圧位置に移動する。図８は、開口部側袋押圧部材２３が押圧位置に到達したときの状態を示すもので、押圧部３２により、袋３の受面部２６の上側（印字部Ｐより開口部側）の位置は受面部２６の後方側（袋３の裏面側方向）に押し込まれている。これにより、袋３の印字部Ｐを含む袋面は受面部２６上において緊張状態で平らに保持され、この状態で、印字器５が作動し、印字部Ｐに印字が行われる。
その後、エアシリンダ２４，３７が作動し、袋底側袋押圧部材２２及び開口部側袋押圧部材２３が元の待機位置に後退する。続いて、印字工程を受けた袋３は次の停止位置ＩＩＩ（開口工程位置）に向けて移送され、停止位置Ｉ（給袋工程位置）から新たな袋３が停止位置ＩＩ（印字工程位置）に移送される。
【００３０】
図９はさらに別の印字補助装置及びその作動を説明する図である。この印字補助装置は、袋底側押圧部材２２の押圧部３１と開口部側押圧部材２３の押圧部３２の両方が、それぞれ背板２１の袋底側端面２７に近接した下方位置、又は背板２１の開口部側端面２８に近接した上方位置に配置されている点で、図１〜図５に示す印字補助装置と異なる。
この印字補助装置では、袋底側押圧部材２２及び開口部側押圧部材２３が、それぞれ図９に示す押圧位置に到達する直前に、各袋押圧部材２２，２３の押圧部３１，３２の先端部が背板２１の受面部２６の位置を越え、押圧部３１，３２の先端部と背板２１の袋底側端面２７又は開口部側端面２８との間で、袋３の前記受面部２６の上下位置を袋３の幅方向に沿って挟む。
【００３１】
続いて、袋底側袋押圧部材２２及び開口部側袋押圧部材２３が押圧位置に到達するまでの間、背板２１の下方位置では、袋３は押圧部３１と袋底側端面２７との間に挟まれた状態であり、背板２１の上方位置では、袋３は押圧部３２と開口部側端面２８との間に挟まれた状態が続く。押圧部３１と背板２１の袋底側端面２７の隙間、及び押圧部３２と背板２１の開口部側端面２８の隙間が十分小さく、押圧部３１，３２がゴム等からなり摩擦係数が大きければ、押圧部３１，３２が押圧位置に移動するにつれて、袋３の前記挟まれた箇所は押圧部３１，３２の移動方向に押し込まれる。これによって、袋３の印字部Ｐを含む袋面は受面部２６上において緊張状態で平らに保持される。
この状態で、印字器５が作動し、印字部Ｐに印字が行われる。
【００３２】
図１０，１１はさらに別の印字補助装置及びその作動を説明する図である。この印字補助装置は、対向配置され互いに接離可能とされた背板２１及び一対の袋押圧部材２２，２３を備える点でこれまで述べた印字保持装置と同じであるが、背板２１の幅（受面部２６の幅）が袋幅より相当小さく、受面部２６の両側方に袋３の長手方向に沿って左右の端面３８，３９を有する点、袋押圧部材２２，２３が袋３の幅方向に所定間隔（受面部２６の幅よりやや大きい間隔）を置いて配置され、いずれも袋３の長手方向に沿って伸びる押圧部３１，３２を有する点で異なる。
【００３３】
背板２１は、図示しない駆動手段（例えばエアシリンダ）により、袋３から離れた待機位置（図１０参照）と、前方の受け位置（図１１参照）の間を、水平面内で袋３の袋面に垂直方向に進退する。押圧部３１，３２は、袋３から離れた待機位置（図１０参照）と、前方の押圧位置（図１１参照）の間を、水平面内で袋３の袋面に垂直方向に進退する。
背板２１及び袋押圧部材２２，２３が待機位置から受け位置又は押圧位置に移動したとき、図１１に示すように、背板２１の端面３８，３９の外側に押圧部３１，３２が押し込まれるようになっており、そのときの背板２１の端面３８，３９と押圧部３１，３２の間隔は、袋３の厚みより広いが、ごく狭く設定されている。この間隔は図９に示す印字補助装置と同じである。
【００３４】
従って、図９に示す印字補助装置と同様に、押圧部３１，３２が押圧位置に移動するのに伴い、袋３の背板２１の左右箇所は、袋３の長手方向に沿って、押圧部３１と端面３８の間及び押圧部３２と端面３９の間に挟まれ、挟まれた状態のまま、押圧部３１，３２の移動方向（袋３の裏面側）に押し込まれる。これによって、袋３の印字部Ｐを含む袋面は受面部２６上において袋幅方向に緊張状態で平らに保持される。
【００３５】
上記印字補助装置によれば、先に［発明の効果］の欄に記載した事項のほか、次のような作用効果を得ることができる。
（１）図１〜図５の補助装置のように、一対の押圧部材の駆動手段（エアシリンダ）を共通化することにより、装置のコンパクト化、コストの低減が図れ、また、袋の印字部を緊張させる効果が効率よく得られる。
（２）押圧部材の押圧部をゴム材で形成することにより、袋（プラスチック）との摩擦力を高めて、背板との間で袋面を挟んだとき袋面が滑るのを抑制でき、確実な緊張作用を得ることができる。
（３）駆動手段をエアシリンダで構成したことにより、エアシリンダへ供給するエア圧を調整して袋の反発力を吸収できる（袋を緊張させるとき袋に無理な引張力が掛からない）ため、押圧時における袋へのダメージを抑えることができる。
【００３６】
また、本発明に係る補助装置（印字又は印字検査補助装置）は、上記の例に限られず、例えば下記のような種々の改変が可能である。
（１）上記の例は印字工程への補助装置の適用について説明したが、印字検査工程にも全く同様に適用できる。例えば袋口の開口工程の前の停止位置で印字検査が行われる場合、当該停止位置に印字検査装置と印字検査補助装置が設置される。これには、印字を印字工程位置で行い、開口工程位置の前の適当な停止位置（通常、印字工程位置の次の停止位置が選定される）で印字検査を行う場合が含まれ、この場合、印字工程位置には印字装置及び印字補助装置が設置され、印字検査工程位置には、印字検査装置及び印字検査補助装置が設置される。また、印字工程と印字検査工程を同じ位置で行うこともでき、その場合、当該位置には印字装置、印字検査装置及び補助装置（印字補助、印字検査補助の共用）が設置される。
【００３７】
（２）印字部の位置が変更される場合を考慮し、背板、袋押圧部材、押圧部等は位置調整自在であることが望ましい。
（３）袋の袋底側を印字工程位置又は印字検査工程位置に配置したチャックで挟んで袋底側（下方）に引っ張り、開口部側のグリッパーとの間で袋面を袋の長手方向に緊張させ、あるいは袋の印字部の両側（両側縁）を前記位置に対向配置した一対のチャックで挟んで左右に引っ張り、両チャック間で袋面を袋の幅方向に緊張させ、続いて印字又は印字検査を行う場合等も本発明に含まれる。
【００３８】
（４）上記の例は、本発明を、通常の袋を開口部（袋口）を上に向け円形の移送経路に沿って移送し、その過程で各種包装処理工程を順次行うようにした間欠回転式袋詰め包装機に適用したものだが、レーストラック形の移送経路あるいは直線的な移送経路を有する包装機なども含め、間欠移送式縦型（グリッパーに挟持された袋が袋口を上に向けた状態で各種包装処理を受けるタイプ）袋詰め包装機一般に適用することができるほか、連続移送式（袋を連続移送するタイプ）袋詰め包装機、横型（袋口を横に向けた状態で袋を移送し各種包装処理を行うタイプ）袋詰め包装機、さらには開口部としてスパウトを有するスパウト付き袋に内容物を充填する袋詰め包装機（袋の両側縁をグリッパーで保持して移送する代わりにスパウト部をスパウト保持部材の溝内に保持して移送）等にも適用可能である。なお、連続移送式の場合、補助装置自体を袋の移送に追従させ、印字又は印字検査終了後、元の位置に復帰させる必要がある。
【符号の説明】
【００３９】
３  袋
５  印字器
２１  背板
２２，２３  袋押圧部材（袋底側袋押圧部材、開口部側袋押圧部材）
２６  背板の受面部
２７  背板の袋底側端面
２８  背板の開口部側端面
３１，３２  押圧部
【図１】
0005399224.tif 000002
【図２】
0005399224.tif 000003
【図３】
0005399224.tif 000004
【図４】
0005399224.tif 000005
【図５】
0005399224.tif 000006
【図６】
0005399224.tif 000007
【図７】
0005399224.tif 000008
【図８】
0005399224.tif 000009
【図９】
0005399224.tif 000010
【図１０】
0005399224.tif 000011
【図１１】
0005399224.tif 000012
【図１２】
0005399224.tif 000013
【図１３】
0005399224.tif 000014